(57)【要約】【課題】大量の原稿を分離搬送でき、厚紙の原稿であっても効率よく原稿上の画像を読取ることのできる両面画像読取り装置を提供する。【解決手段】両面原稿読取り装置１は、分離搬送される原稿の一面を読取るＣＣＤ読取りユニット１１と、原稿の他の面を読取るＣＩＳ２１と、ＣＣＤ読取りユニット１１とＣＩＳ２１との間に配置されて原稿を案内する原稿ガラス１６と、原稿ガラス１６の位置をＣＩＳ２１に対して調整するバネ３０ａ・３０ｂおよび規制部材３１ａとを備えている。原稿Ｐを搬送する際には、バネ３０ａ・３０ｂと規制部材３１ａとが、原稿ガラス１６の位置をＣＩＳ２１に対して適切に調整して、原稿Ｐがスムースに搬送されるようにしているので、厚紙の原稿Ｐであっても安定して高速に搬送できる。【選択図】　図１
2004004318.tif 000002
【特許請求の範囲】
【請求項１】
搬送される原稿の一面を読取る第１の読取り手段と、上記原稿の他の面を読取る第２の読取り手段とを備えた両面画像読取り装置において、
上記第１の読取り手段と上記第２の読取り手段との間に配置されるとともに、搬送される上記原稿を案内するガイド部材と、
上記ガイド部材の位置を、少なくとも一方の上記第１の読取り手段または上記第２の読取り手段に対して調整する調整手段とを備えていることを特徴とする両面画像読取り装置。
【請求項２】
上記第１の読取り手段は、移動することによって上記ガイド部材と離間配置または対向配置される移動筐体部に備えられ、
上記調整手段は、上記移動筐体部が上記ガイド部材と対向配置されるときに、上記ガイド部材の位置を上記第１の読取り手段に対して調整することを特徴とする請求項１に記載の両面画像読取り装置。
【請求項３】
上記第１の読取り手段における焦点深度は、上記第２の読取り手段における焦点深度よりも浅いことを特徴とする請求項２に記載の両面画像読取り装置。
【請求項４】
上記調整手段は、上記第２の読取り手段における焦点深度の範囲内で上記ガイド部材の位置を調整することを特徴とする請求項３に記載の両面画像読取り装置。
【発明の詳細な説明】
【０００１】
【発明の属する技術分野】
本発明は、シート状の原稿を分離搬送しつつ、２つの読取り手段が表裏それぞれの面の画像を読取るようにした両面画像読取り装置に関するものである。
【０００２】
【従来の技術】
従来より、スキャナ機能を備えた画像読取装置を用いて原稿の画像情報を読取って印刷を行う複写機などの画像形成装置において、シート状の原稿を順次搬送しながら画像情報を読取って印刷を行わせるためのＡＤＦ（Ａｕｔｏ　Ｄｏｃｕｍｅｎｔ　Ｆｅｅｄｅｒ、自動原稿送り装置）を備えた画像読取装置が用いられている。
【０００３】
従来の画像読取装置の一例として、日本国の公開特許公報「特開平２−９７９３４号公報（公開日：１９９０年４月１０日）」に記載された原稿読取装置がある。
【０００４】
原稿読取装置３４は、図８に示すように、上原稿台３５、下原稿台３６、給紙ローラ３７、排紙ローラ３８、ＣＳローラ３９、読取りカバー４０、バネ４１、密着型読取りセンサ４２およびバックアップコロ４３・４４を備えている。
【０００５】
ＣＳローラ３９は、自重および読取りカバー４０とＣＳローラの軸との間に取り付けられているバネ４１によって、密着型読取センサ４２に押圧されている。ＣＳローラ３９の軸は、原稿読取装置３４の図示しない側板のＵ溝に固定されている。また、ＣＳローラ３９は、原稿Ｐの紙厚に応じて、Ｕ溝に沿って上下するようになっている。
【０００６】
上記構成において、原稿Ｐを読取る際には、給紙ローラ３７によって搬送される原稿ＰをＣＳローラ３９が密着型読取センサ４２に押圧するとともに、密着型読取センサ４２が原稿Ｐの読取りを行う。その後に排紙ローラ３８によって原稿Ｐを排出する。
【０００７】
また、ＣＳローラ３９は、図示しないバネによって、密着型読取センサ４２と離間する方向にも力を受けている。読取りカバー４０を開いて、上原稿台３５と下原稿台３６との間から原稿Ｐを引き抜く際には、ＣＳローラ３９は原稿Ｐから離間するようになっている。
【０００８】
一方、従来の画像読取装置として、上記構成の画像読取装置とは異なって２つの読取手段を備えており、搬送されている原稿の表面、裏面の読取を２つの読取手段がそれぞれ行うようにした画像読取装置もある。
【０００９】
このような画像読取装置の一例として、日本国の公開特許公報「特開平９−４６４７２号公報（公開日：１９９７年２月１４日）」に記載された原稿読取用の原稿自動送り装置がある。
【００１０】
原稿自動送り装置４５は、図９に示すように、載置トレイ４６、給紙ローラ４７、反転搬送経路４８、第１読取ユニット５１、第２読取ユニット４９、透明板５０、排出トレイ５２、透明原稿台５３およびスライド軸５４を備えている。
【００１１】
原稿自動送り装置４５は、原稿載置トレイ４６に載置された原稿Ｐを、給紙ローラ４７によって１枚ずつ湾曲搬送経路４８へと供給する。湾曲搬送経路４８においては、供給された原稿Ｐを経路に沿って搬送して、途中に設けられた第２読取ユニット４９によって原稿Ｐの一方の面を読取る。
【００１２】
湾曲搬送経路４８から供給された原稿Ｐを、透明板５０の位置において、第１読取ユニット５１によって、上述とは異なる他方の面を読取る。そして、読取った原稿Ｐを排出トレイ５２に排出する。
【００１３】
また、上記構成において、透明原稿台５３上に載置された原稿Ｐを、スライド軸５４を介して第１読取ユニット５１を移動させることによって読取ることができる。
【００１４】
上記構成においては、湾曲搬送経路４８の途中の第２読取ユニット４９で読取りを行い、その後第１読取ユニット５１によって第２読取ユニット４９とは異なる面を読取るようになっているので、１度の搬送で１枚の原稿の両面を読取ることができる。
【００１５】
また、上記とは異なる画像読取装置の他の一例として、日本国の公開特許公報「特開平１１−２７４４４号公報（公開日：１９９９年１月２９日）」に記載された原稿読取り装置がある。
【００１６】
複写装置５５の原稿読取り装置５６は、図１０に示すように、原稿載置台５７、分離部５８、ブックスキャナ部６１、ＣＩＳ（Ｃｏｎｔａｃｔ　Ｉｍａｇｅ　Ｓｅｎｓｏｒ：密着型イメージセンサ）６２および排紙トレイ６３を備えている。また、複写装置５５は、原稿読取り装置５６によって読取った情報を印刷するための記録部６４をも備えている。
【００１７】
分離パッド５９および分離ローラ６０からなる分離部５８によって、原稿載置トレイ５７の原稿Ｐを１枚ずつ取り出して搬送する。搬送する原稿Ｐに対して、ブックスキャナ部６１が原稿Ｐの一面を、ＣＩＳ６２が原稿Ｐの他の面を読取る。そして、読取った原稿Ｐを排出トレイ６３に排出する。
【００１８】
これにより、複数の原稿Ｐを停止させることなく搬送させながら、ブックスキャナ部６１とＣＩＳ６２とを用いて１枚の原稿の両面を読取ることができた。
【００１９】
【発明が解決しようとする課題】
しかしながら、上記公報に記載の各構成によれば、大量の原稿を扱うことができず、また厚紙の原稿を適切に読取ることができないという問題を生ずる虞れがある。
【００２０】
すなわち、近年、上述した各画像読取装置を備えたプリンタなどは、従来と比較して種々の用途に用いられるようになっている。例えば従来は扱われなかった厚みの原稿を扱う必要も生じている。また、従来と比較してより大量の情報を扱う必要があるので、より大量の原稿を高速に読取る必要も生じている。
【００２１】
ところが、上述した各構成については、以下のような問題点を生じる虞れがある。
【００２２】
すなわち、上記特開平２−９７９３４号公報に記載の構成は、給紙ローラ３７から搬送されてくる原稿Ｐを、ＣＳローラ３９が密着型読取センサ４２に押圧する構成である。
【００２３】
ここで、上述のように、種々の厚みの原稿を、大量印刷のために高速で、ＣＳローラ３９と密着型読取センサ４２との間に突入させる場合には、ＣＳローラ３９と密着型読取センサ４２との間の圧力を微妙に調整する必要があり、この調整が安定しないと原稿Ｐの腰折れが生じる虞れがある。
【００２４】
また、上記特開平９−４６４７２号公報記載の原稿自動送り装置４５は、図９に示すように、湾曲搬送経路４８の途中に第２読取ユニット４９が設けられ、湾曲搬送経路４８の後に第１読取ユニット５１によって読取を行う構成である。ここで、第１読取ユニット５１への搬送においては、ほぼ垂直方向に伸びる湾曲搬送経路４８から透明板５０に向けて、搬送経路がほぼ直角に曲がっている。
【００２５】
このため、原稿Ｐの搬送において、読取タイミングのずれが生じる虞れがないとはいえない。また、原稿Ｐの搬送において、斜めに搬送してしまう可能性もある。特に、紙厚の厚い原稿において搬送に無理が生じる可能性がないとはいえない。
【００２６】
また、上記特開平１１−２７４４４号公報記載の原稿読取り装置５６は、図１０に示すように、原稿載置トレイ５７上の原稿Ｐを、分離ローラ６０を用いてブックスキャナ部６１およびＣＩＳ６２による読取位置に搬送する構成である。
【００２７】
このため、原稿Ｐの取り出しおよび搬送を行う分離ローラ６０によって原稿Ｐを読取位置へ送りだすので、複数の原稿Ｐを連続して扱う場合に、送り出しのタイミングを調節することが困難である。したがって、種々の厚みの原稿を、大量印刷のために高速で読取る場合には、原稿Ｐの読取タイミングのずれが生じる虞れがある。
【００２８】
本発明は、上記の問題点に鑑みてなされたものであり、その目的は、大量の原稿を分離搬送でき、厚紙の原稿であっても効率よく原稿上の画像を読取ることのできる両面画像読取り装置を提供することにある。
【００２９】
【課題を解決するための手段】
本発明に係る両面画像読取り装置は、上記課題を解決するために、搬送される原稿の一面を読取る第１の読取り手段と、上記原稿の他の面を読取る第２の読取り手段とを備えた両面画像読取り装置において、上記第１の読取り手段と上記第２の読取り手段との間に配置されるとともに、搬送される上記原稿を案内するガイド部材と、上記ガイド部材の位置を、少なくとも一方の上記第１の読取り手段または上記第２の読取り手段に対して調整する調整手段とを備えていることを特徴としている。
【００３０】
上記構成によれば、第１の読取り手段と第２の読取り手段との間のガイド部材は、調整手段によって、例えば第１の読取り手段に対して調整された位置に配置される。
【００３１】
ここで、ガイド部材の読取り手段に対する位置の調整とは、例えば読取り手段に向かってガイド部材を当接させることによって、読取り手段とガイド部材との距離を所定の値に設定することに相当する。この位置の調整は、ガイド部材を読取り手段に当接させる構成に限るものではなく、その他の構成であってもよい。
【００３２】
したがって、少なくとも一方の読取り手段に対して、調整手段によって調整した位置でガイド部材が原稿をガイドして読取りを行わせるので、その読取り手段による読取りにおいて、原稿の画質を劣化させることなく読取ることができる。
【００３３】
また、上記構成において、調整手段が、少なくとも一方の第１の読取り手段または第２の読取り手段に対して、ガイド部材の位置を適切に調整すれば、例えば厚紙の原稿を読取る場合であっても、読取り手段とガイド部材との間に原稿がつかえることがなく、スムースに搬送することができる。このため、例えば大量の原稿を扱うために高速で原稿を搬送する場合であっても、原稿の搬送を安定して確実に行うことができる。
【００３４】
なお、上記構成における第１の読取り手段または第２の読取り手段は、画像読取りに用いることのできる読取り手段であればどのようなものであってもよい。
【００３５】
また、ガイド部材の読取り手段に対する位置の調整は、読取り手段とガイド部材との距離を所定の値に設定する構成に限るものではなく、例えば、読取り手段とガイド部材との距離が所定の範囲内となるよう設定する構成であってもよいし、また例えば、ガイド部材を案内される原稿と読取り手段との距離を所定の値に設定し、若しくは所定の範囲内に設定する構成であってもよい。
【００３６】
したがって、大量の原稿を分離搬送でき、厚紙の原稿であっても効率よく原稿上の画像を読取ることのできる両面画像読取り装置を提供することができる。
【００３７】
本発明に係る両面画像読取り装置は、上記課題を解決するために、上記構成において、上記第１の読取り手段は、移動することによって上記ガイド部材と離間配置または対向配置される移動筐体部に備えられ、上記調整手段は、上記移動筐体部が上記ガイド部材と対向配置されるときに、上記ガイド部材の位置を上記第１の読取り手段に対して調整することを特徴としている。
【００３８】
ここで、上記構成において、移動筐体部がガイド部材と対向配置されるときには、移動筐体部の第１の読取り手段もガイド部材と対向配置される。
【００３９】
上記構成によれば、ガイド部材と対向配置されうる移動筐体部に第１の読取り手段が備えられている構成において、上述の両面画像読取り装置を実現できる。
【００４０】
また、例えば、移動筐体部の移動に伴って第１の読取り手段の位置が微妙にずれたとしても、ガイド部材の位置を第１の読取り手段に対して調整して、第１の読取り手段における読取りを確実にできる。
【００４１】
上記構成において、第２の読取り手段は、搬送される上記原稿の上記他の面を読取るだけでなく、さらに、原稿固定載置台上に載置された原稿を読取る構成であってもよい。
【００４２】
この構成によれば、原稿を搬送しながら表裏それぞれの面の画像を読取るだけでなく、原稿固定載置台上に載置された原稿をも読取ることのできる両面画像読取り装置を提供することができる。
【００４３】
本発明に係る両面画像読取り装置は、上記課題を解決するために、上記構成において、上記第１の読取り手段における焦点深度は、上記第２の読取り手段における焦点深度よりも浅いことを特徴としている。
【００４４】
ここで、焦点深度とは、読取り手段による原稿の読取りにおける焦点面の前後で、鮮明な像ができる光軸方向の範囲を意味する。
【００４５】
上記構成によれば、焦点深度の浅い第１の読取り手段に対して、調整手段がガイド部材の位置を調整する。したがって、第１の読取り手段における読取りをより確実に行うことができる。よって、原稿の両面を読取る際に、それぞれの面の画質を劣化させることなく読取ることができる。
【００４６】
本発明に係る両面画像読取り装置は、上記課題を解決するために、上記構成において、上記調整手段は、上記第２の読取り手段における焦点深度の範囲内で上記ガイド部材の位置を調整することを特徴としている。
【００４７】
上記構成によれば、調整手段は、第１の読取り手段に対するガイド部材の位置を、第２の読取り手段における焦点深度の範囲内で調整する。
【００４８】
したがって、上述のように第１の読取り手段における読取りを確実にできるとともに、第２の読取り手段における読取りも確実にできる。
【００４９】
また、例えば、本発明に係る両面画像読取り装置は、上記構成において、上記調整手段は、上記原稿を案内するときに上記原稿と接触する上記ガイド部材の接触面と、少なくとも一方の上記第１の読取り手段または上記第２の読取り手段とを、所定量離間させるように上記ガイド部材の位置を調整する構成であってもよい。
【００５０】
上記構成において、ガイド部材の接触面と読取り手段とを、適切な所定量離間させれば、大量の原稿を分離搬送でき、厚紙の原稿であっても効率よく原稿上の画像を読取ることのできる両面画像読取り装置を提供できる。
【００５１】
すなわち、例えば、原稿の紙厚よりも大きく、ガイド部材の接触面と読取り手段とを離間させれば、厚紙の原稿であっても原稿がつっかかることなくスムースに搬送できる。また、大量の原稿を印刷するため、原稿を高速に搬送して読取る場合であっても、原稿のつっかかりを防止して、確実に安定した読取りを行うことができる。
【００５２】
【発明の実施の形態】
本発明の一実施の形態について図１ないし図６に基づいて説明すると以下の通りである。
【００５３】
本実施形態の両面原稿読取り装置（両面画像読取り装置）１は、図２に示すように、光学系２と、その上方に配置されるＡＤＦ（移動筐体部）３とを備えている。この両面原稿読取り装置１は、例えば複写機やファクシミリ装置のスキャナ装置として用いることができる。
【００５４】
この光学系２は、第２の読取り手段としてのＣＣＤ（Ｃｈａｒｇｅ　Ｃｏｕｐｌｅｄ　Ｄｅｖｉｃｅ）読取りユニット１１、光源ユニット１３およびミラーユニット１４によって、原稿ガラス１２上に載置された図示しない原稿の画像を読取ることができるとともに、搬送されている図示しない原稿の一面の画像を原稿ガラス１６の位置において読取ることができる。
【００５５】
一方、ＡＤＦ３は、搬送されている原稿の他の面の画像を、原稿ガラス１６と対向配置された第１の読取り手段としてのＣＩＳ（Ｃｏｎｔａｃｔ　Ｉｍａｇｅ　Ｓｅｎｓｏｒ：密着型イメージセンサ）２１にて読取るようになっている。
【００５６】
これによって、両面原稿読取り装置１は、原稿を分離搬送しつつ、２つの読取り手段によって表裏それぞれの面の画像を読取るようになっている。
【００５７】
以下において、両面原稿読取り装置１の構成についてより詳細に説明する。
【００５８】
光学系２のＣＣＤ読取りユニット１１は、原稿ガラス１２上に載置され、平面支持された原稿の画像を読取るためのものである。ＣＣＤ読取りユニット１１は、結像レンズ１１ａおよびＣＣＤイメージセンサ１１ｂなどを備えている。読取りの際には、光源ユニット１３およびミラーユニット１４によって、原稿画像をＣＣＤ読取りユニット１１に結像させて、読取りを行うようになっている。
【００５９】
光源ユニット１３は、光源１３ａ、ミラー１３ｂ、スリット１３ｃおよびミラー１３ｄを備えている。原稿の読取りの際には、光源１３ａからの照射光をミラー１３ｂが原稿ガラス１２上の所定の読取り位置に集光する。そして、スリット１３ｃは、入射する光のうち原稿からの反射光のみを通過させてミラー１３ｄへと導く。ミラー１３ｄはスリット１３ｃから入射された光を反射してミラーユニット１４へと導く。
【００６０】
ミラーユニット１４は、光源ユニット１３から入射される光をＣＣＤ読取りユニット１１に導く一対のミラー１４ａ・１４ｂを備えている。
【００６１】
原稿ガラス１２に載置された原稿の読取りの際には、例えば光源ユニット１３が所定の速度Ｖで移動するとともに、ミラーユニット１４がＶ／２の速度で矢印１５方向（副走査方向）に移動して、符号１３ｅ・１３ｆ・１４ｃなどで示すように原稿ガラス１２にわたって移動して、載置された原稿の画像を読取るようになっている。
【００６２】
また、この光学系２には、原稿ガラス１２から副走査方向に離間した位置に、もう１枚の原稿ガラス（ガイド部材）１６が設けられている。
【００６３】
この原稿ガラス１６は、第２の読取り手段としてのＣＣＤ読取りユニット１１、光源ユニット１３およびミラーユニット１４と、第１の読取り手段としてのＣＩＳ２１との間に配置されている。
【００６４】
そして、原稿ガラス１６は、図１に示すように、光学系２の図示しない固定位置に固定されたバネ（調整手段）３０ａ・３０ｂなどによって、ＣＩＳ２１に近づく向きに力を受けている。
【００６５】
また、原稿ガラス１６は、図１および図３に示すように、原稿ガラス１６の周辺に設けられた規制部材（調整手段）３１ａによって、ＣＩＳ２１とは所定の距離よりも近接しないように規制されている。なお、この規制部材３１は、図３に示すようにＣＩＳ２１の一部に当接する構成であってもよいし、またはその他図示しないＡＤＦ３の筐体に対して当接する構成であってもよい。
【００６６】
したがって、これら調整手段としてのバネ３０ａ〜３０ｃおよび規制部材３１ａ・３１ｂによって、原稿ガラス１６はＣＩＳ２１に対する位置を調整されるようになっている。
【００６７】
なお、例えば図１および図３のような断面図においては、部材のうち、断面が手前側にあるもののみを示して参照番号を付して説明しており、奥側にある部材については特に示してはいない。
【００６８】
上記構成の原稿ガラス１６において、原稿ガラス１６上を搬送される原稿Ｐの一方の面（以下、表面とする。）を、光源ユニット１３が原稿ガラス１６の下方に静止した状態で光を照射し、画像を光源ユニット１３、ミラーユニット１４において反射させて、ＣＣＤ読取りユニット１１にて読取るようになっている。読取りが行われた原稿Ｐは、図２に示す排紙トレイ１７に排出される。
【００６９】
一方、ＡＤＦ３は、光学系２に対して蓋となるような形状である。すなわち、ＡＤＦ３は光学系２に対して移動可能であり、移動としての蓋の開閉に応じて、原稿ガラス１６とＣＩＳ２１とが離間配置され、または対向配置されるようになっている。
【００７０】
ＡＤＦ３は、搬送されている原稿の上述とは異なる面（以下、裏面とする。）を読取るためのＣＩＳ２１を備えている。また、ＡＤＦ３は、原稿載置トレイ２２、各種のローラＲ１〜Ｒ１０、センサＳ１〜Ｓ６、湾曲搬送路２３およびレジスト・斜行補正領域２４を備えている。
【００７１】
原稿載置トレイ２２は、搬送しながら両面を読取るための原稿を載置するためのトレイである。本実施形態の原稿載置トレイ２２は、センサを備えた電動のトレイである。
【００７２】
図４に示すように、原稿載置トレイ２２に原稿が載置されていない場合には、原稿載置トレイ２２の位置は低い位置に配置される。
【００７３】
一方、アクチュエータＳ１ａおよびセンサ本体Ｓ１ｂからなる原稿載置センサＳ１が、原稿載置トレイ２２に原稿がセットされたことを検知すると、図５に示すように、原稿載置トレイ２２は所定のタイミングで上昇を開始する。
【００７４】
そして、積載された原稿束の最上面原稿が、アーム２５によって昇降変位自在に支持されているピックアップローラＲ１を押し上げ、センサＳ２がその押し上げを検知すると、原稿載置トレイ２２の上昇は一旦停止して、待機状態となる。
【００７５】
なお、原稿載置トレイ２２に原稿がセットされ、上述のように原稿載置トレイ２２が上昇して待機状態となった後に、所定時間放置された場合は、原稿載置トレイ２２は所定のレベルまで降下して待機する。
【００７６】
上述の待機状態において、例えば図示しない操作部の読取り開始ボタンの入力によって原稿の給紙開始信号が入力されると、図２に示すように、給紙ローラＲ１が回転駆動して、上記の原稿束の最上面から原稿を順次取込む。
【００７７】
ここで、原稿載置トレイ２２は、原稿が順次給紙されて原稿束の高さが下がり、給紙ローラＲ１の位置が降下すると、これをセンサＳ２によって検出し、それに応じた分だけ上昇する。これによって、常に原稿束の最上面と給紙ローラＲ１とが所定の位置関係、接触状態を保つようになっている。
【００７８】
また、原稿載置トレイ２２は、原稿の搬送をする湾曲搬送路２３のために必要となる、湾曲搬送路２３の入口側と出口側との高さの範囲内において、上下移動可能となっている。このように上下方向に変位するとともに原稿との接触状態を一定に保つので、大量の原稿の載置が可能になるとともに、大量の原稿を搬送する場合であっても安定して原稿の搬送を行うことができる。
【００７９】
給紙ローラＲ１に対して原稿の搬送方向の下流側には、原稿捌きローラＲ２および原稿捌き板２６が配置されている。原稿捌き板２６は、バネ２７によって原稿捌きローラＲ２側に付勢されている。これによって、例えば給紙ローラＲ１によって複数枚の原稿が同時に取込まれたとしても、原稿捌きローラＲ２に密着している最上面原稿のみが取込まれて湾曲搬送路２３へと搬送されるようになっている。また、原稿が原稿捌きローラＲ２によって分離供給されたか否かは、アクチュエータＳ３ａおよびセンサ本体Ｓ３ｂから成るセンサＳ３によって検知される。そして、原稿は、所定のタイミングで、下流側の湾曲搬送路２３へと導かれる。
【００８０】
湾曲搬送路２３において、原稿は搬送ローラＲ３〜Ｒ７によって搬送される。アクチュエータＳ４ａおよびセンサ本体Ｓ４ｂからなるセンサＳ４が、湾曲搬送路２３からの原稿の排出を検知し、原稿が無理なく導かれてきているか否かを判別する。
【００８１】
この湾曲搬送路２３は、読取り可能な原稿のうち、最も厚い、すなわち最も腰のある原稿を安定して円滑に搬送できる曲率となっている。このため、例えばメーカーは、あらゆる種類の原稿の安定供給を保証することもできる。
【００８２】
湾曲搬送路２３から排出された原稿は、レジスト・斜行補正領域２４に搬送される。原稿の先端がレジスト・斜行補正領域２４の出口付近にあるレジストローラＲ８・Ｒ９の手前に配置されたセンサＳ５によって検知されると、レジストローラＲ８・Ｒ９を停止させた状態で、上流側の搬送ローラＲ６・Ｒ７によって原稿がレジストローラＲ８・Ｒ９に所定時間押し付けられる。これによって、レジストおよび斜行の補正を行うことができる。
【００８３】
なお、センサＳ５は、アクチュエータＳ５ａおよびセンサ本体Ｓ５ｂからなる。また、レジストローラＲ８・Ｒ９によって所定の時間原稿を止めた後で、原稿を原稿ガラス１６へと送りだして読取りをする構成なので、原稿の読取りタイミングなどがずれることを防止できる。
【００８４】
また、湾曲搬送路２３の最終の搬送ローラＲ６・Ｒ７の対からレジストローラＲ８・Ｒ９の対までの区間に相当するレジスト・斜行補正領域２４は、上述のようなレジストおよび斜行の補正に適した配置となっている。すなわち、例えば、これらのローラＲ６・Ｒ７とＲ８・Ｒ９との間で、原稿の状態がほぼ直線となり、搬送経路のガイド面から極力フリーとなるように設計されている。
【００８５】
この構成によれば、例えば紙厚の厚い原稿のような、腰のある原稿を搬送処理する場合であっても、原稿を湾曲させずに、搬送をガイドする部材に原稿の面を余分に接触させることなくレジストおよび斜行を補正できる。したがって、効果的にレジストおよび斜行の補正を行うことができる。
【００８６】
また、上述のように、レジスト・斜行補正領域２４は、湾曲搬送路２３の最終の搬送ローラＲ６・Ｒ７の対から、レジストローラＲ８・Ｒ９の対までの区間に相当する。確実に原稿送りをするために、ローラＲ６・Ｒ７とＲ８・Ｒ９との間の距離は、原稿送り装置として処理することが可能な原稿の中で、最も小さな原稿の搬送方向の長さ以下であることが好ましい。一方、ローラＲ６・Ｒ７からローラＲ８・Ｒ９に向けて原稿を送り出す際には、原稿の部分のうち、レジスト・斜行補正領域２４に送り出されている部分が多い方がレジスト・斜行の補正を効率的に行うことができる。このため、上述のローラＲ６・Ｒ７とＲ８・Ｒ９との間の距離は、できるだけ長い方が好ましい。
【００８７】
上述のように、レジスト・斜行補正領域２４にて補正された原稿は、所定のタイミングで原稿ガラス１６へと送りだされて、原稿画像の読取りが行われる。
【００８８】
本実施形態においては、図１に示すように、原稿ガラス１６上を搬送される原稿Ｐの表面が光源ユニット１３によって照射され、反射光が光源ユニット１３、ミラーユニット１４を介してＣＣＤ読取りユニット１１へと導かれて読取りが行われる。
【００８９】
そして、原稿ガラス１６上を搬送される原稿Ｐは、次に裏面をＣＩＳ２１にて読取られる。
【００９０】
この原稿ガラス１６は、ＡＤＦ３が原稿ガラス１６と対向配置されたときに、原稿ガラス１６の位置をＣＩＳ２１に対して調整するようになっている。これにより、原稿ガラス１６上を搬送される原稿を、常に所定の状態で読取ることができる。
【００９１】
なお、光源ユニット１３による照射位置（読取り位置）とＣＩＳ２１による読取り位置とは、原稿の搬送方向に相互に離間している。また、このＣＩＳ２１は、限られた搬送路長の範囲で、終端付近に配置されるのが好ましい。そうすれば、ＣＩＳ２１による読取り位置において、原稿の紙厚に応じた原稿の浮きが発生した場合であっても、この浮きによる変化を少なくして、より確実にＣＩＳ２１による読取りを行うことができる。
【００９２】
また、本実施形態においては、ＣＩＳ２１は、図１には図示しないＡＤＦ３に備えられている。ＡＤＦ３が原稿ガラス１６と対向配置されるときには、ＣＩＳ２１による原稿Ｐの読取り位置は、原稿の搬送方向においては一定の位置となる。
【００９３】
また、図１に示すように、ＡＤＦ３が原稿ガラス１６と対向配置されるときには、原稿ガラス１６とＣＩＳ２１との距離が調整される。ＣＩＳ２１と原稿ガラス１６とは、規制部材３１によって所定量離間するように配置される。このため、ＣＩＳ２１による原稿Ｐの読取り位置は、ＣＩＳ２１の光軸方向においては、原稿Ｐごとに異なることになる。
【００９４】
また、ＣＩＳ２１と原稿ガラス１６とは、規制部材３１によって所定量離間しているので、この所定量よりも厚さの薄い原稿については、問題を生じることなく容易に搬送することができる。
【００９５】
このようにして、原稿Ｐの種類（透過性や腰）に応じて、ＣＩＳ２１と原稿ガラス１６との距離を可能な範囲内で変化させることで、原稿Ｐの種類によらず、原稿Ｐの表裏両面の読取りを適切に行うことができる。
【００９６】
また、上記構成において、ＣＩＳ２１における焦点深度は、ＣＣＤ読取りユニット１１における焦点深度よりも浅くなっている。
【００９７】
ここで、焦点深度とは、読取り手段による原稿の読取りにおける焦点面の前後で、鮮明な像ができる光軸方向の範囲を意味する。
【００９８】
本実施形態においては、例えば、ＣＩＳ２１における焦点深度は１ｍｍ程度であり、ＣＣＤ読取りユニット１１における焦点深度は４ｍｍ程度である。
【００９９】
したがって、レジストローラＲ８・Ｒ９に対してより近い位置であって、原稿ガラス１６に対する原稿の浮きが発生する虞れのある位置に、焦点深度が深いＣＣＤ読取りユニット１１による読取り位置を配置し、レジストローラＲ８・Ｒ９から遠い位置であって、原稿ガラス１６に対する原稿の浮きが発生する虞れの少ない位置に、焦点深度が浅いＣＩＳ２１の読取り位置を配置して、読取りを確実に行えるようにしている。
【０１００】
また、焦点深度が浅いＣＩＳ２１に対して、原稿ガラス１６の位置を調整するようになっているので、読取りをさらに確実に行える。
【０１０１】
また、上記構成において、原稿ガラス１６は、ＣＣＤ読取りユニット１１による焦点深度の範囲内で、ＣＩＳ２１に対して移動されるようになっている。
【０１０２】
このため、上述のようにＣＩＳ２１による読取りを確実にするとともに、ＣＣＤ読取りユニット１１による読取り位置においても確実に読取りを行うようになっている。
【０１０３】
そして、原稿の表裏両面の画像を読取られた原稿は、排出ローラＲ１０・Ｒ１１によって、光学系２とＡＤＦ３との間の原稿排出点から排紙トレイ１７へと排出される。この排紙トレイ１７は、原稿排出点よりも低い位置に設けられている。また、この原稿の排出動作は、アクチュエータＳ６ａおよびセンサ本体Ｓ６ｂからなるセンサＳ６によって検知され、確認される。
【０１０４】
以上の動作が、図６に示すように、原稿載置トレイ２２上の原稿に対して順次行われる。そして、原稿載置トレイ２２上にセットされた原稿がなくなるまで繰り返される。読取りを行った原稿は、すべて排紙トレイ１７上に順次排出される。また、排紙トレイ１７は、両面原稿読取り装置１本体から側方に突出するように形成されているので、排出された原稿を簡単に確認することができるとともに、排出された原稿の取り出しを容易に行うことができる。
【０１０５】
以上のように、本実施形態に係る両面原稿読取り装置１は、第１の読取り手段としてのＣＩＳ２１と、第２の読取り手段としてのＣＣＤ読取りユニット１１とを備えるとともに、ＣＣＤ読取りユニット１１とＣＩＳ２１との間に配置されて原稿を案内する原稿ガラス１６と、原稿ガラス１６の位置をＣＩＳ２１に対して調整するバネ３０ａ〜３０ｃおよび規制部材３１ａ・３１ｂとを備えている構成である。
【０１０６】
したがって、上述のように、原稿Ｐを搬送する際には、バネ３０ａ〜３０ｃと規制部材３１ａ・３１ｂとが、原稿ガラス１６の位置をＣＩＳ２１に対して適切に調整して、原稿Ｐがスムースに搬送されるようにしているので、厚紙の原稿Ｐであっても安定して高速に搬送できる。
【０１０７】
なお、上述の実施の形態においては、原稿ガラス１６の位置をＣＩＳ２１に対して調整する構成について説明したが、本発明はこれに限るものではなく、例えばさらに原稿ガラス１６の位置をＣＣＤ読取りユニット１１へと光を導く光源ユニット１３に対しても調整する構成であってもよい。また例えば、原稿ガラス１６の位置を光源ユニット１３のみに対して調整する構成であってもよい。
【０１０８】
また、上述の実施の形態においては、原稿ガラス１６の位置の調整として、原稿ガラス１６とＣＩＳ２１との距離を所定の値に設定する構成について説明したが、本発明はこれに限るものではなく、例えば、適当な調整手段によって、原稿ガラス１６とＣＩＳ２１との距離を所定の範囲内に設定する構成であってもよい。また例えば、原稿ガラス１６上を案内される原稿とＣＩＳ２１との距離を所定の値に設定するか、または所定の範囲内に設定するような構成であってもよい。
【０１０９】
例えば、上記構成において、調整手段としてのバネ３０ａ〜３０ｃおよび規制部材３１ａ・３１ｂが、ガイド部材としての原稿ガラス１６と第１の読取り手段としてのＣＩＳ２１との距離を少なくとも所定量以上離間させるように、原稿ガラス１６の位置を調整する構成であってもよい。
【０１１０】
この構成によれば、原稿ガラス１６とＣＩＳ２１との距離が少なくとも所定量以上となるので、この所定量を適切に設定して、厚紙の原稿であっても確実に安定して搬送できる。
【０１１１】
また、ガイド部材としての原稿ガラス１６の位置を調整する調整手段を実現する構成としては、一例として示したバネ３０ａ〜３０ｃおよび規制部材３１ａ・３１ｂに限るものではなく、その他に任意の構成を用いることができる。
【０１１２】
なお、従来の構成の一例としてあげた、特開平２−９７９３４号公報の原稿読取り装置は、図８に示すように、給紙ローラ３７から搬送されてくる原稿Ｐを、ＣＳローラ３９が密着型読取センサ４２に押圧する構成である。種々の厚みの原稿を、大量印刷のために高速で、ＣＳローラ３９と密着型読取センサ４２との間に突入させる場合には、原稿Ｐの腰折れが生じる虞れがある。
【０１１３】
一方、本発明に係る両面原稿読取り装置１は、図１に示すように、原稿Ｐを搬送する際に、バネ３０ａ・３０ｂおよび規制部材３１ａなどが、原稿ガラス１６の位置をＣＩＳ２１に対して適切に調整して、原稿Ｐがスムースに搬送されるようにしている。このため、厚紙の原稿Ｐであっても腰折れなどを生じさせず、安定して高速に搬送できる。
【０１１４】
また、従来の技術として説明した構成においては、２つの読取り手段を備えて原稿の両面を読取る場合に、読取り手段ごとの焦点深度、焦点深度の補償範囲の違いを考慮した構成とはなっていなかった。
【０１１５】
一方、本発明に係る実施の形態においては、読取り手段としてのＣＩＳ２１、ＣＣＤ読取りユニット１１などによる読取り位置の配置を、焦点深度の違いを考慮して行っている。また、ガイド部材としての原稿ガラス１６の位置を、上述のように、読取り手段の焦点深度を考慮した範囲で移動させるようになっている。このため、焦点深度を考慮しない構成と比較して、より確実に原稿の読取りを行うことができる。
【０１１６】
また、本発明に係る実施の形態は、読取り手段としてのＣＩＳ２１が、光学系２の原稿ガラス１６に対して、離間または対向するＡＤＦ３に備えられている構成である。
【０１１７】
この構成においては、蓋状のＡＤＦ３の開閉を繰り返すと、原稿ガラス１６とＡＤＦ３に備えられるＣＩＳ２０との位置関係が微妙にずれてしまう虞れもある。
【０１１８】
そこで、本発明においては、上述のように、ＣＩＳ２０に対して原稿ガラス１６の位置を移動して調整するので、例えばＡＤＦ３の開閉によってＣＩＳ２０の位置が微妙にずれた場合であっても、読取り精度を減少させずに、確実に読取ることができる。
【０１１９】
また、本発明に係る他の実施の形態として、例えばガイド部材としての原稿ガラスを、読取り手段としてのＣＩＳに対して、原稿ガラス上の原稿とＣＩＳとの距離を所定の値とするように移動させる構成であってもよい。この構成によれば、原稿の厚みにかかわらず、原稿の読取りを確実にできる。
【０１２０】
このように、本発明に係る実施の形態においては、原稿ガラス１６とＣＩＳ２１の原稿読取り面とは常に所定の状態となるので、安定して確実に読取りを行うことができる。
【０１２１】
本発明の他の実施の形態について図７に基づいて説明すると以下の通りである。
【０１２２】
本実施形態の両面原稿読取り装置１ａは、上述の両面原稿読取り装置１に備えられた原稿ガラス１６、バネ３０ａ〜３０ｃおよび規制部材３１ａ・３１ｂの構成が異なるのみである。以下ではこの異なる点について説明する。また、同じ部材については同じ符号で参照し、説明は省略する。
【０１２３】
両面原稿読取り装置１ａは、図７に示すように、原稿ガラス（ガイド部材）１６ａと、バネ（調整手段）３０ｄと、規制部材（調整手段）３１ｃとを備えている。
【０１２４】
原稿ガラス１６ａは、回動支点１６ｂにおける軸にて図示しない光学系２の筐体に取り付けられている。原稿ガラス１６ａは、回動支点１６ｂにおいて回転可能となっている。原稿ガラス１６ａは、バネ３０ｄによって、ＣＩＳ２１に近づく向きに力を受けている。
【０１２５】
また、原稿ガラス１６ａは、原稿ガラス１６の周辺に設けられた規制部材３１ｃによって、ＣＩＳ２１とは所定の距離よりも近接しないように規制されている。
【０１２６】
したがって、これら調整手段としてのバネ３０ｄおよび規制部材３１ｃによって、原稿ガラス１６ａの位置は、ＣＩＳ２１に対して調整されている。
【０１２７】
この構成において、上述と同様に、原稿Ｐの読取りを行う場合には、バネ３０ｄと規制部材３０ｃとによって、原稿ガラス１６ａの位置がＣＩＳ２１に対して適切な位置に調整されて、ＣＩＳ２１による読取りが行われる。
【０１２８】
この場合には、原稿ガラス１６ａは回動支点１６ｂで固定されており、原稿の搬送においても、原稿ガラス１６ａの回動支点１６ｂ側は移動しない。このため、例えばＣＣＤ読取りユニットにおける光路長を変化させないので、読取りの精度を低下させない。
【０１２９】
また、原稿ガラス１６ａは、原稿Ｐが送りだされて衝突する回動支点１６ｂ側において固定されているので、原稿Ｐの送りだしによる原稿ガラス１６ａとの衝突が生じても、原稿ガラス１６を振動させたりせずに、安定して原稿の搬送を行うことができる。
【０１３０】
なお、例えば図７のような断面図においては、部材のうち、断面が手前側にあるもののみを示して参照番号を付して説明しており、奥側にある部材については特に示してはいない。
【０１３１】
以上のように、本実施形態の両面画像読取り装置１ａにおいても、ＣＣＤ読取りユニット１１とＣＩＳ２１との間に配置されて原稿を案内する原稿ガラス１６ａと、原稿ガラス１６ａの位置をＣＩＳ２１に対して調整するバネ３０ｄと規制部材３１ｃとによって、原稿ガラス１６ａの位置をＣＩＳ２１に対して適切な位置に調整して、厚紙の原稿Ｐであっても安定して高速に搬送できる。
【０１３２】
本発明は上述した各実施形態に限定されるものではなく、請求項に示した範囲で種々の変更が可能であり、異なる実施形態にそれぞれ開示された技術的手段を適宜組み合わせて得られる実施形態についても、本発明の技術的範囲に含まれる。
【０１３３】
上述の具体的な実施形態または実施例は、あくまでも、本発明の技術内容を明らかにするものであって、本発明はそのような具体例にのみ限定して狭義に解釈されるべきものではなく、特許請求の範囲に示した範囲で種々の変更が可能であり、変更した形態も本発明の技術的範囲に含まれる。
【０１３４】
【発明の効果】
本発明に係る両面画像読取り装置は、以上のように、第１の読取り手段と第２の読取り手段との間に配置されるとともに、搬送される原稿を案内するガイド部材と、上記ガイド部材の位置を、少なくとも一方の上記第１の読取り手段または上記第２の読取り手段に対して調整する調整手段とを備えている構成である。
【０１３５】
それゆえ、調整手段によって調整した位置でガイド部材が原稿をガイドして読取りを行わせるので、その読取り手段による読取りにおいて、原稿の画質を劣化させることなく読取ることができるという効果を奏する。
【０１３６】
また、調整手段が、読取り手段に対してガイド部材の位置を適切に調整して、読取り手段とガイド部材との間に原稿をつかえさせずにスムースに搬送するので、厚紙の原稿であっても、または大量の原稿を扱うために高速で原稿を搬送する場合であっても、原稿の搬送を安定して確実に行うことができるという効果を奏する。
【０１３７】
本発明に係る両面画像読取り装置は、以上のように、上記構成において、上記第１の読取り手段は、移動することによって上記ガイド部材と離間配置または対向配置される移動筐体部に備えられ、上記調整手段は、上記移動筐体部が上記ガイド部材と対向配置されるときに、上記ガイド部材の位置を上記第１の読取り手段に対して調整する構成である。
【０１３８】
それゆえ、ガイド部材と対向配置されうる移動筐体部に第１の読取り手段が備えられている構成において、上述の両面画像読取り装置を実現できるという効果を奏する。
【０１３９】
本発明に係る両面画像読取り装置は、以上のように、上記構成において、上記第１の読取り手段における焦点深度は、上記第２の読取り手段における焦点深度よりも浅い構成である。
【０１４０】
それゆえ、焦点深度の浅い第１の読取り手段に対して、調整手段がガイド部材の位置を調整するので、第１の読取り手段における読取りをより確実に行うことができるとともに、原稿の両面を読取る際に、それぞれの面の画質を劣化させることなく読取ることができるという効果を奏する。
【０１４１】
本発明に係る両面画像読取り装置は、以上のように、上記構成において、上記調整手段は、上記第２の読取り手段における焦点深度の範囲内で上記ガイド部材の位置を調整する構成である。
【０１４２】
それゆえ、上述のように第１の読取り手段における読取りを確実にできるとともに、第２の読取り手段における読取りも確実にできるという効果を奏する。
【図面の簡単な説明】
【図１】本発明に係る両面画像読取り装置の一実施形態の一部を示す断面図である。
【図２】上記両面画像読取り装置の断面図である。
【図３】上記両面画像読取り装置の図１とは異なる向きにおける概略の断面図である。
【図４】上記両面画像読取り装置に原稿を載せる前の状態を示す断面図である。
【図５】上記両面画像読取り装置に原稿を載せる際の状態を示す断面図である。
【図６】上記両面画像読取り装置における原稿搬送の状態を示す断面図である。
【図７】本発明に係る両面画像読取り装置の他の実施形態を示す概略の断面図である。
【図８】従来の画像読取り装置の一例を示す断面図である。
【図９】従来の画像読取り装置の他の一例を示す断面図である。
【図１０】従来の画像読取り装置のさらに他の一例を示す断面図である。
【符号の説明】
１　　　　　　　　　　　　　　　両面原稿読取り装置（両面画像読取り装置）
３　　　　　　　　　　　　　　　ＡＤＦ（移動筐体部）
１１　　　　　　　　　　　　　　ＣＣＤ読取りユニット（第２の読取り手段）
１３　　　　　　　　　　　　　　光源ユニット（第２の読取り手段）
１４　　　　　　　　　　　　　　ミラーユニット（第２の読取り手段）
１６、１６ａ　　　　　　　　　　原稿ガラス（ガイド部材）
２１　　　　　　　　　　　　　　ＣＩＳ（第１の読取り手段）
３０ａ、３０ｂ、３０ｃ、３０ｄ　バネ（調整手段）
３１ａ、３１ｂ、３１ｃ　　　　　規制部材（調整手段）
Ｐ　　　　　　　　　　　　　　　原稿
【図１】
2004004318.tif 000003
【図２】
2004004318.tif 000004
【図３】
2004004318.tif 000005
【図４】
2004004318.tif 000006
【図５】
2004004318.tif 000007
【図６】
2004004318.tif 000008
【図７】
2004004318.tif 000009
【図８】
2004004318.tif 000010
【図９】
2004004318.tif 000011
【図１０】
2004004318.tif 000012